(57)【特許請求の範囲】
【請求項１】
制御監視用の設備機器専用の制御監視用伝送線に接続されるとともに、ラインから電力が供給される設備機器に取り付けられる電力測定装置であって、
前記ラインに着脱可能に接続されるライン接続手段と、
前記接続されたラインにより前記設備機器へ印加される電圧と電流とを測定する測定手段と、
前記測定された電圧と電流とに基づいて前記設備機器で消費される電力を算出する算出手段と、
前記制御監視用伝送線に着脱可能に接続される伝送線接続手段と、
前記算出された電力を表すデータを前記制御監視用伝送線に伝送する伝送手段と、を備える、
ことを特徴とする電力測定装置。
【請求項２】
前記算出された電力に基づいて前記設備機器に電源が投入されたか否かを判定する電源投入判定手段と、
前記設備機器に電源が投入されたと判定されてから所定時間内において、前記制御監視用伝送線に伝送されるデータから前記設備機器に指定される通信アドレスを表すデータを検出するアドレス検出手段と、をさらに備え、
前記伝送手段は、前記検出されたデータで指定された前記設備機器の通信アドレスを表すデータと、前記算出された前記設備機器で消費される電力を表すデータと、を対応付けて前記制御監視用伝送線に伝送する、
ことを特徴とする請求項１に記載の電力測定装置。
【請求項３】
前記算出手段で算出された電力と、前記設備機器が正常に運転する場合に消費される電力の上限を表す閾値と、に基づいて、前記設備機器に異常が生じたか否かを判別する異常判別手段をさらに備え、
前記伝送手段は、前記異常判別手段が前記設備機器に異常が生じたと判別した場合に、運転を停止させる若しくは前記異常に応じた運転を行わせる制御信号を、前記アドレス検出手段で検出されたデータで表される通信アドレスを宛先として伝送する、
ことを特徴とする請求項２に記載の電力測定装置。
【請求項４】
前記ライン接続手段と前記測定手段と前記算出手段とで構成され、前記算出手段で算出された電力を表すデータを送信する第１部分と、
前記伝送線接続手段と前記伝送手段とで構成され、前記電力を表すデータを前記第１部分から受信する第２部分と、を有し、
前記伝送手段は、前記受信された電力を表すデータを前記制御監視用伝送線に伝送する、
ことを特徴とする請求項１から３のいずれか一項に記載の電力測定装置。
【請求項５】
前記第１部分と前記第２部分とは、無線により前記電力を表すデータを通信する、
ことを特徴とする請求項４に記載の電力測定装置。
【請求項６】
制御監視用の設備機器専用の制御監視用伝送線に接続されるとともに、ラインから電力が供給される設備機器に取り付けられる電力測定装置を備えるシステムであって、
前記電力測定装置は、前記ラインと、前記制御監視用伝送線と、に着脱可能に接続され、前記ラインにより前記設備機器へ印加される電圧と電流との測定値に基づいて算出された前記設備機器の消費電力を表すデータを前記制御監視用伝送線に伝送し、
前記伝送されたデータで表される消費電力に基づいて前記設備機器の運転を制御するコントローラをさらに備える、
ことを特徴とする電力測定システム。
【請求項７】
前記電力測定装置は、前記設備機器が正常に運転する場合に消費される電力の上限を表す閾値と、前記算出された前記設備機器の消費電力と、に基づいて、前記設備機器に異常が生じたと判別すると、前記設備機器に異常が生じたことを表す異常通知を前記設備機器へ送信し、
前記設備機器は、前記異常通知を受信すると運転を停止する若しくは前記異常通知に応じた運転を行う、
ことを特徴とする請求項６に記載の電力測定システム。
【請求項８】
制御監視用の設備機器専用の制御監視用伝送線に接続されるとともに、ラインから電力が供給される設備機器に取り付けられる電力測定装置が実行する方法であって、
着脱可能に接続された前記ラインにより前記設備機器へ印加される電圧と電流とを測定する測定ステップと、
前記測定された電圧と電流とに基づいて前記設備機器で消費される電力を算出する算出ステップと、
着脱可能に接続された前記制御監視用伝送線に、前記算出された電力を表すデータを伝送する伝送ステップと、を有する、
ことを特徴とする電力測定方法。
【発明の詳細な説明】
【技術分野】
【０００１】
本発明は、電力測定装置、電力測定システム、及び電力測定方法に関する。
【背景技術】
【０００２】
従来から、空調機の制御スケジュールを記憶する手段と、当該空調機に設置された電力量計で測定された当該空調機の使用電力を取得する手段と、当該使用電力と当該制御スケジュールとに基づいて当該空調機の使用電力を予測する手段と、を備え、予測された使用電力が所定の電力以下となるように空調機を制御する空調省エネ制御装置が知られている（例えば、特許文献１参照）。
【先行技術文献】
【特許文献】
【０００３】
【特許文献１】特開２０１０−０６５９６０号公報
【発明の概要】
【発明が解決しようとする課題】
【０００４】
しかしながら、電力計等の電力測定装置は、通常、空調機等の設備機器に搭載された金属製の分電盤や制御盤に設置されるため、電力測定装置は、空調省エネ制御装置と無線通信することが難しい。このため、特許文献１に開示されたシステムでは、既存の設備機器に電力測定装置を設置すると、当該電力測定装置から空調省エネ制御装置まで通信線を新たに敷設する必要があり、設置コストが高いという問題があった。
【０００５】
本発明は、上記実情に鑑みてなされたものであり、その目的とするところは、従来よりも低い設置コストで設備機器に設置できる電力測定装置、並びに従来よりも低い設置コストで設備機器の電力を測定できる電力測定システム及び電力測定方法を提供することにある。
【課題を解決するための手段】
【０００６】
上記目的を達成するため、本発明に係る電力測定装置は、
制御監視用の設備機器専用の制御監視用伝送線に接続されるとともに、ラインから電力が供給される設備機器に取り付けられる電力測定装置であって、
前記ラインに着脱可能に接続されるライン接続手段と、
前記接続されたラインにより前記設備機器へ印加される電圧と電流とを測定する測定手段と、
前記測定された電圧と電流とに基づいて前記設備機器で消費される電力を算出する算出手段と、
前記制御監視用伝送線に着脱可能に接続される伝送線接続手段と、
前記算出された電力を表すデータを前記制御監視用伝送線に伝送する伝送手段と、を備える。
【発明の効果】
【０００７】
本発明に係る電力測定装置によれば、従来よりも低い設置コストで設備機器に設置できる。また、本発明に係る電力測定システム及び電力測定方法によれば、従来よりも低い設置コストで設備機器の電力を測定できる。
【図面の簡単な説明】
【０００８】
【図１】本発明の実施形態１に係る電力測定システムの一構成例を表す構成図である。
【図２】設備機器の一構成例を表す構成図である。
【図３】電力測定装置の一構成例を表す構成図である。
【図４】算出部のハードウェア構成の一例を表すハードウェア構成図である。
【図５】実施形態１に係る電力測定装置が実行する電力測定処理の一例を表すフローチャートである。
【図６】実施形態１に係る電力測定装置が有する機能の一例を表す機能ブロック図である。
【図７】電力測定装置が実行するサンプリング処理の一例を表すフローチャートである。
【図８】コントローラが実行する消費電力監視処理の一例を表すフローチャートである。
【図９】実施形態２に係る電力測定装置が実行する電力測定処理の一例を表すフローチャートである。
【図１０】実施形態２に係る電力測定装置が有する機能の一例を表す機能ブロック図である。
【図１１】実施形態２に係る電力測定装置が実行する通信アドレス検出処理の一例を表すフローチャートである。
【図１２】実施形態３に係る設備機器の一構成例を表す構成図である。
【図１３】実施形態３に係る電力測定装置の第１本体部一構成例を表す構成図である。
【図１４】実施形態３に係る電力測定装置の第２本体部一構成例を表す構成図である。
【発明を実施するための形態】
【０００９】
＜実施形態１＞
以下、本発明の実施形態１に係る電力測定システム１について、添付図面を参照しつつ説明する。
【００１０】
電力測定システム１は、図１に示すように、三相交流電源１０、監視制御用伝送線２０、通信網３０、設備機器１１０及び１２０、コントローラ２００、並びに監視サーバ３００で構成されている。
【００１１】
三相交流電源１０は、電源ライン１１を介して設備機器１１０に接続され、かつ電源ライン１２を介して設備機器１２０に接続される。三相交流電源１０は、設備機器１１０及び設備機器１２０の動力源であり、互いに電流若しくは電圧の位相が互いにずれた第一相（以下、Ｒ相という）、第二相（以下、Ｓ相という）、及び第三相（以下、Ｔ相という）で構成される。
【００１２】
監視制御用伝送線２０は、伝送線２１を介して設備機器１１０と接続され、かつ伝送線２２を介して設備機器１２０と接続されている。監視制御用伝送線２０は、設備機器１１０若しくは設備機器１２０の監視に用いられる監視信号又は設備機器１１０若しくは設備機器１２０の制御に用いられる制御信号の通信に用いられる。監視制御用伝送線２０を介して通信される監視信号及び制御信号は、直流電源に重畳されて設備機器１１０及び１２０並びにコントローラ２００へ送信される。
【００１３】
通信網３０は、インターネットで構成され、コントローラ２００と監視サーバ３００とに接続されている。通信網３０は、ＬＡＮ（Local Area Network）又は公衆回線網であっても良い。
【００１４】
設備機器１１０及び設備機器１２０は、室内機若しくは室外機などの空調機器で構成される。設備機器１１０と設備機器１２０とは、同様の構成を有するため、以下主に、設備機器１１０について説明し、設備機器１２０の説明を適宜省略する。
【００１５】
設備機器１１０は、例えば、ユーザによって設定された温度、風量、若しくは運転モードを表す制御信号をコントローラ２００から受信し、受信した制御信号に従って動作する。また、設備機器１１０は、コントローラ２００を介して監視サーバ３００から監視信号を受信すると、例えば、設備機器１１０の消費電力を含む運転状態を表す状態信号を、コントローラ２００を介して監視サーバ３００へ送信する。
【００１６】
コントローラ２００は、管理サーバ３００に通信網３０を介して接続可能なモデム装置で構成される。コントローラ２００は、例えば、温度、風量、若しくは運転モードの設定に用いられるボタンを有し、当該ボタンの操作によりユーザが設定した温度、風量、若しくは運転モードを表す制御信号を設備機器１１０及び１２０へ送信する。また、コントローラ２００は、設備機器１１０及び１２０から状態信号を受信し、受信した状態信号を監視サーバ３００へ送信すると共に、状態信号に応じた表示を行う。
【００１７】
監視サーバ３００は、コントローラ２００から設備機器１１０及び１２０の状態信号を受信し、受信した信号に基づいて設備機器１１０及び１２０の運転状態を監視する。
【００１８】
次に、図２を参照して、設備機器１１０の構成について詳細に説明する。
設備機器１１０は、図２に示すように、制御基盤（以下、制御盤という）１１１と電力測定装置１１２とで構成される。
【００１９】
制御盤１１１は、主に金属で構成され、電源ライン１１を介して三相交流電源１０に接続し、伝送線２１を介して監視制御用伝送線２０に接続されている。制御盤１１１は、三相交流電源１０から供給される電源を用いて動作し、監視制御用伝送線２０から制御信号を受信すると、受信した制御信号に従って、例えば、アクチュエータを動作させることで、設備機器１１０の動作を制御する。また、制御盤１１１は、監視制御用伝送線２０を介してコントローラ２００から監視信号を受信すると、設備機器１１０の状態信号を、監視制御用伝送線２０を介してコントローラ２００へ送信する。
【００２０】
電力測定装置１１２は、電源ライン１１に接続するライン接続部１１２ｓと、伝送線２１に接続する伝送線接続部Ｐｔと、ライン接続部１１２ｓ及び伝送線接続部Ｐｔに接続された本体部１１２ｂと、で構成される。
【００２１】
ライン接続部１１２ｓは、電源ライン１１のＲ相１１ｒに接続されるポイントＰｒ、電源ライン１１のＳ相１１ｓに接続されるポイントＰｓ、及び電源ライン１１のＴ相１１ｔに接続されるポイントＰｔと、電源ライン１１のＲ相１１ｒに設置される変流器ＣＴｒ及び電源ライン１１のＴ相１１ｔに設置される変流器ＣＴｔと、で構成される。ポイントＰｒ、Ｐｒ、及びＰｓ、並びに変流器ＣＴｒ及びＣＴｔには、それぞれ本体部１１２ｂに接続されたライン１１２ｖｒ、１１２ｖｓ、及び１１２ｖｔ、並びにライン１１２ｉｒ及びライン１１２ｉｔが接続されている。また、伝送線接続部Ｐｔには、本体部１１２ｂに接続された伝送線１１２ｔが接続されている。
【００２２】
ポイントＰｒ、Ｐｓ、及びＰｔは、例えば、クリップ形状を有し、それぞれ電源ライン１１のＲ相１１ｒ、Ｓ相１１ｓ、及びＴ相１１ｔに対して着脱可能に接続する。
【００２３】
変流器ＣＴｒ及びＣＴｔは、それぞれポイントＰｒ及びＰｔと同様に、電源ライン１１のＲ相１１ｒ及びＴ相１１ｔに対して着脱可能に接続する。変流器ＣＴｒ及びＣＴｔとは、それぞれＲ相１１ｒの電流及びＴ相１１ｔの電流を測定するためのカレントトランスであり、例えば工事性の高いクランプ式のカレントトランスである。
【００２４】
電力測定装置１１２の本体部１１２ｂは、図３に示すように、電源回路１１２１、電圧測定回路１１２２ａ及び電流測定回路１１２２ｂで構成される測定回路１１２２、Ａ/Ｄ（analog/digital）変換器１１２４、給電回路１１２５、伝送部１１２６、絶縁回路１１２７、並びにアドレス設定スイッチ１１２８を内蔵している。
【００２５】
電源回路１１２１は、例えば、ダイオードなどの整流回路と、チョッパ方式のＤＣ（Direct Current）／ＤＣコンバータと、で構成される。電源回路１１２１は、ライン１１２ｖｒと、本体部１１２ｂの金属製の筐体に接続することでグランドされたライン１１２ｖｓと、に接続されていており、三相交流電源１０のＲ−Ｓ相間電圧が印加される。電源回路１１２１は、印加されたＲ−Ｓ相間電圧を用いて直流電源を生成し、生成した直流電源をＡ／Ｄ変換器１１２４及び算出部１１２６へ提供する。
【００２６】
電圧測定回路１１２２ａは、例えば、抵抗分圧回路で構成され、ライン１１２ｖｒ、１１２ｖｓ、及び１１２ｖｔに接続されている。電圧測定回路１１２２ａは、三相交流電源１０のＲ−Ｓ相間電圧と、Ｓ−Ｔ相間電圧と、をＡ／Ｄ変換器１１２４に入力可能なレベルまで分圧し、分圧したＲ−Ｓ相間電圧（以下、分圧Ｒ−Ｓ相間電圧という）と、分圧したＳ−Ｔ相間電圧（以下、分圧Ｓ−Ｔ相間電圧という）と、をＡ／Ｄ変換器１１２４に入力する。
【００２７】
電流測定回路１１２２ｂは、変流器ＣＴｒの負荷抵抗で構成され、変流器ＣＴｒから出力された電流をライン１１２ｉｒ介して入力され、入力された電流に応じた電圧（以下、Ｒ相電流に応じた電圧という）をＡ／Ｄ変換器１１２４へ印加する。同様に、電流測定回路１１２２ｂは、変流器ＣＴｔの負荷抵抗でさらに構成され、変流器ＣＴｔから出力された電流をライン１１２ｉｔ介して入力され、入力された電流に応じた電圧（以下、Ｔ相電流に応じた電圧という）をＡ／Ｄ変換器１１２４へ印加する。
【００２８】
Ａ／Ｄ変換器１１２４は、例えばΔΣＡ／Ｄ変換器等の高分解能のＡ／Ｄ変換器で構成される。Ａ／Ｄ変換器１１２４は、電源回路１１２１から供給される直流電源を用いて動作する。具体的には、Ａ／Ｄ変換器１１２４は、算出部１１２６からトリガ信号を入力されると、分圧Ｒ−Ｓ相間電圧の瞬時値及び分圧Ｓ−Ｔ相間電圧の瞬時値と、Ｒ相電流に応じた電圧の瞬時値及びＴ相電流に応じた電圧の瞬時値と、を同一のタイミングでそれぞれサンプリングする。次に、Ａ／Ｄ変換器１１２４は、分圧Ｒ−Ｓ相間電圧の瞬時値を表すデジタル信号ＳＶｒｓ（以下、電圧値信号ＳＶｒｓという）及び分圧Ｓ−Ｔ相間電圧の瞬時値を表すデジタル信号ＳＶｓｔ（以下、電圧値信号ＳＶｓｔという）と、Ｒ相電流に応じた電圧の瞬時値を表すデジタル信号ＳＩｒ（以下、電流値信号ＳＩｒという）及びＴ相電流に応じた電圧の瞬時値を表すデジタル信号ＳＩｔ（以下、電流値信号ＳＩｔという）と、を算出部１１２６へ出力する。
【００２９】
伝送線接続部Ｐｔは、例えば、クリップ形状を有し、伝送線２１に対して着脱可能に接続される。
【００３０】
給電回路１１２５は、例えば、チョッパ方式のＤＣ／ＤＣコンバータにより構成される。給電回路１１２５は、伝送線１１２ｔ及び伝送線接続部Ｐｔを介して接続する伝送線２１から供給される直流電源を用いて、伝送部１１２６の動作に用いられる電源を生成する。
【００３１】
伝送部１１２６は、例えば、通信ドライバといった通信回路で構成される。伝送部１１２６は、給電回路１１２５から供給された電源を用いて動作する。具体的には、伝送部１１２６は、算出部１１２６から出力されたデータを表す信号を、予め定められたプロトコルに従って、伝送線１１２ｔを介してコントローラ２００へ送信する。逆に、伝送部１１２６は、コントローラ２００から伝送線１１２ｔを介して送信された信号を受信し、受信した信号を、絶縁回路１１２７を介して算出部１１２６へ出力する。
【００３２】
絶縁回路１１２７は、例えば、フォトカプラで構成され、伝送部１１２６を三相交流電源１０から絶縁する。
【００３３】
アドレス設定スイッチ１１２８は、例えば、ＤＩＰ（Dual In-line Package）スイッチやロータリースイッチで構成される。アドレス設定スイッチ１１２５は、設備機器１１０を保守及び点検するサービススタッフによって行われた設定操作に応じて、算出部１１２６に読み込むように指定するアドレスを表す信号（以下、設定アドレス信号という）を出力する。
【００３４】
算出部１１２９は、図４に示すようなバス１１２９ｚを介して互いに接続するＣＰＵ（Central Processing Unit）１１２９ａ、ＲＯＭ（Read Only Memory）１１２９ｂ、ＲＡＭ（Random Access Memory）１１２９ｃ、入力回路１１２９ｅ、出力回路１１２９ｆ、及びタイマ回路１１２９ｇと、を有するマイクロコントローラで構成される。
【００３５】
ＣＰＵ１１２９ａは、ＲＯＭ１１２９ｂに保存されたプログラムに従ってソフトウェア処理を実行することで、電力測定装置１１２の全体制御を行う。ＲＡＭ１１２９ｃは、ＣＰＵ１１２９ａによるプログラムの実行時において、処理対象とされるデータを一時的に記憶する。
【００３６】
入力回路１１２９ｅは、アドレス設定スイッチ１１２８、Ａ／Ｄ変換器１１２４、及び絶縁回路１１２７からそれぞれ出力された各種信号を入力し、入力された各種信号をＣＰＵ１１２６ａへ出力する。出力回路１１２９ｆは、Ａ／Ｄ変換器１１２４及び伝送部１１２６へ、ＣＰＵ１１２６ａから出力された信号を出力する。タイマ回路１１２９ｇは、ＣＰＵ１１２６ａから計時の開始を指示する信号（以下、スタート信号という）を入力されると計時を開始し、予め設定された時間経過すると計時を停止し、割込信号をＣＰＵ１１２６ａへ入力するハードウェアタイマである。
【００３７】
ＣＰＵ１１２９ａは、電源回路１１２１から電源が供給されると、図５に示す電力測定処理の実行を開始することで、図６に示す取得部２９１、サンプリング部２９２、消費電力算出部２９３、異常判定部２９４、及び信号出力部２９５として機能する。また、ＲＯＭ１１２９ａは、情報記憶部２９９として機能する。
【００３８】
電力測定処理を開始すると、取得部２９１は、入力回路１１２９ｅからアドレス設定信号を取得する（ステップＳ０１）。
【００３９】
次に、取得部２９１は、アドレス設定信号で表されるアドレスから所定バイトのデータを情報記憶部２９９から取得する。次に、取得部２９１は、取得したデータから、監視制御用伝送線２０及びこれに接続された伝送線２１及び２２において電力測定装置１１２を識別するアドレス（以下、通信アドレスという）を表すデータと、当該設備機器１１０が正常に動作する場合に消費される電力の上限値である閾値Ｔｈを表すデータと、を取得する（ステップＳ０２）。尚、好適な閾値Ｔｈは、当業者が実験により定めることができる。
【００４０】
次に、信号出力部２９５は、タイマ回路１１２９ｇが保持するタイマ値を初期化してから計時を開始するように命じる信号（つまり、スタート信号）をタイマ回路１１２９ｇへ出力する（ステップＳ０３）。
【００４１】
次に、取得部２９１は、設備機器１１０に印加されたＲ−Ｓ相間電圧、Ｓ−Ｔ相間電圧、Ｒ相電流、及びＴ相電流のサンプリング数Ｎを表す変数を値「０」で初期化する。また、取得部２９１は、サンプリングされたＲ−Ｓ相間電圧、Ｓ−Ｔ相間電圧、Ｒ相電流、及びＴ相電流を用いて算出された設備機器１１０の瞬時消費電力値Ｗの総和（以下、総和消費電力値という）ＳＷを表す変数を値「０」で初期化する（ステップＳ０４）。
【００４２】
その後、取得部２９１は、タイマ回路１１２９ｇが保持するタイマ値を参照する（ステップＳ０５）。次に、ＣＰＵ１１２９ａは、タイマ値で表される時刻が予め定められた設備機器１１０の消費電力を測定する時刻（以下、消費電力測定時刻という）を経過した時刻であるか否かを判別する（ステップＳ０６）。尚、消費電力測定時刻を表すデータは、予め情報記憶部２９９に保存されていている。
【００４３】
ステップＳ０６において、取得部２９１は、タイマ値で表される時刻が消費電力測定時刻を経過した時刻でない（つまり、タイマ値で表される時刻が消費電力測定時刻を経過する前の時刻である）と判別すると（ステップＳ０６；Ｎｏ）、測定された消費電力の値（以下、測定消費電力値という）を送信するように求めるリクエスト（以下、電力値送信リクエストという）を伝送部１１２６がコントローラ２００から受信したか否かを判別する（ステップＳ０７）。
【００４４】
具体的には、入力回路１１２９ｅが伝送部１１２６から信号を入力すると、取得部２９１は、入力回路１１２９ｅから当該信号を取得する。取得部２９１は、上記プロトコルによって定められたデータフォーマットに基づいて、当該信号で表されるデータ（以下、送信データという）の宛先フィールドを参照する。次に、取得部２９１は、参照したフィールドに格納されたアドレス（以下、宛先アドレスという）が、ステップＳ０２で読み出した通信アドレスと一致しているか否かを判別する。取得部２９１は、宛先アドレスが通信アドレスと一致してないと判別した場合には、送信されたデータは他の機器を宛先とするデータであると判断し、当該データを破棄する。これに対して、取得部２９１は、宛先アドレスが通信アドレスと一致していると判別した場合には、上記データフォーマットに基づいて当該データの種別フィールドを参照し、参照したデータが電力値送信リクエストを表す種別であるか否かを判別する。このとき、取得部２９１は、参照したデータが電力値送信リクエストを表す種別であると判別すると、電力値送信リクエストを伝送部１１２６が受信したと判別する。
【００４５】
ステップＳ０７において、取得部２９１が電力値送信リクエストを伝送部１１２６が受信しなかったと判別すると（ステップＳ０７；Ｎｏ）、設備機器１１０が消費する瞬時電力値（以下、瞬時消費電力値という）Ｗをサンプリングする、図７に示すサンプリング処理が実行された後に（ステップＳ０８）、ステップＳ０５から上記処理が繰り返される。
【００４６】
サンプリング処理を開始すると、信号出力部２９５は、トリガ信号を出力回路１１２９ｆへ出力する（ステップＳ２１）。その後、出力回路１１２９ｆは、トリガ信号をＡ/Ｄ変換器１１２４へ出力する。その後、入力回路１１２９ｅが電圧値信号ＳＶｒｓ及び電圧値信号ＳＶｓｔと、電流値信号ＳＩｒ及び電流値信号ＳＩｔと、をＡ/Ｄ変換器１１２４から入力すると、取得部２９１は、入力回路１１２９ｅからこれらの信号を取得する（ステップＳ２２）。
【００４７】
次に、サンプリング部２９２は、電圧値信号ＳＶｒｓで表される電圧値Ｖｒｓ及び電圧値信号ＳＶｓｔで表される電圧値Ｖｓｔと、電流値信号ＳＩｒで表される電流値Ｉｒ及び電流値信号ＳＩｔで表される電流値Ｉｔと、を以下の式（１）に用いて瞬時消費電力値Ｗを算出する（ステップＳ２３）。
【００４８】
瞬時消費電力値Ｗ＝電圧値Ｖｒｓ×電流値Ｉｒ＋電圧値Ｖｓｔ×電流値Ｉｔ・・・（１）
【００４９】
その後、サンプリング部２９２は、以下の式（２）を用いて、総和消費電力値ＳＷを表す変数を、当該変数が表す電力値ＳＷに対してステップＳ２３で算出された瞬時消費電力値Ｗを加算した値で更新した後に（ステップＳ２４）、サンプリング処理の実行を終了する。
【００５０】
総和消費電力値ＳＷ＝ＳＷ＋瞬時消費電力値Ｗ・・・（２）
【００５１】
ステップＳ０６において、取得部２９１がタイマ値で表される時刻が消費電力測定時刻を経過した時刻であると判別すると（ステップＳ０６；Ｙｅｓ）、消費電力算出部２９３は、以下の式（３）を用いて平均消費電力値を算出し、算出した値を測定電力値ＡＷとする（ステップＳ０９）。
【００５２】
測定電力値ＡＷ＝総和消費電力値ＳＷ÷サンプリング数Ｎ・・・（３）
【００５３】
その後、異常判定部２９４は、算出した測定電力値ＡＷがステップＳ０２で読み出した閾値Ｔｈより大きいか否かを判別し、判別結果に基づいて設備機器１１０に異常が生じたか否かを判定する（ステップＳ１０）。このとき、異常判定部２９４が、測定電力値ＡＷが閾値Ｔｈより大きくない（測定電力値ＡＷが閾値Ｔｈ以下である）と判別したために、設備機器１１０に異常が生じていないと判定すると（ステップＳ１０；Ｎｏ）、ステップＳ０３から上記処理が繰り返される。
【００５４】
これに対して、異常判定部２９４が、測定電力値ＡＷが閾値Ｔｈより大きいと判別したために、設備機器１１０に異常が生じたと判別すると（ステップＳ１０；Ｙｅｓ）、信号出力部２９５は、異常の通知に用いられるデータフォーマットを情報記憶部２９９から参照する。次に、信号出力部２９５は、情報記憶部２９９からコントローラ２００の通信アドレスを読み出し、参照したデータフォーマットに従って、コントローラ２００の通信アドレスを通信データの宛先フィールドに格納する。次に、信号出力部２９５は、ステップＳ０２で読み出した電力測定装置１１２の通信アドレスと、設備機器１１０に異常が発生した旨を通知する異常通知と、測定電力値ＡＷと、を表すデータを、参照したデータフォーマットに従って、通信データのデータフィールドに格納する。その後、信号出力部２９５は、通信データを出力回路１１２９ｆへ出力し、出力回路１１２９ｆは、当該通信データを伝送部１１２６へ出力する。また、信号出力部２９５は、当該通信データを表す信号をコントローラ２００へ送信するように伝送部１１２６を制御する（ステップＳ１１）。尚、ステップＳ１１の処理において、信号出力部２９５は、例えば、ＣＳＭＡ／ＣＤ（Carrier Sense Multiple Access with Collision Detection）といったアクセス制御を実施する。その後、ステップＳ０３から上記処理が繰り返えされる。
【００５５】
ステップＳ０７において、取得部２９１が、電力値送信リクエストを伝送部１１２６が受信したと判別すると（ステップＳ０７；Ｙｅｓ）、信号出力部２９５は、情報記憶部２９９から測定電力値ＡＷの送信に用いられるデータフォーマットを参照する。尚、このデータフォーマットは、設備機器１１０及び１２０の監視及び制御に用いられるデータフォーマットとは異なる。
【００５６】
次に、信号出力部２９５は、参照したデータフォーマットに従って、コントローラ２００の通信アドレスを通信データの宛先フィールドに格納する。また、信号出力部２９５は、ステップＳ０２で読み出した通信アドレスと、ステップＳ０９で算出された測定電力値ＡＷと、を表すデータを、参照したデータフォーマットに従って、通信データのデータフィールドに格納する。その後、信号出力部２９５は、通信データを出力回路１１２９ｆへ出力し、出力回路１１２９ｆは、当該通信データを伝送部１１２６へ出力する。また、信号出力部２９５は、当該通信データを表す信号をコントローラ２００へ送信するように伝送部１１２６を制御する（ステップＳ１２）。その後、ステップＳ０３から上記処理が繰り返えされる。
【００５７】
次に、コントローラ２００の動作について、図８を参照して説明する。
コントローラ２００は、設備機器１１０及び１２０の消費電力を監視する消費電力監視処理を開始すると、例えば、ＯＳ（Operating System）が管理するシステム日時を参照する（ステップＳ３１）。
【００５８】
次に、コントローラ２００は、参照したシステム日時に基づいて、設備機器１１０に設置された電力測定装置１１２及び設備機器１２０に設置された電力測定装置から、前回に測定電力値ＡＷを表すデータを受信してから（但し、消費電力監視処理を開始してから一度も測定電力値ＡＷを表すデータを受信していない場合には当該消費電力監視処理の実行を開始してから）、予め定められた受信間隔（以下、データ受信間隔という）だけ時間が経過したか否かを判別する（ステップＳ３２）。尚、データ受信間隔は、例えば、上記サービススタッフによって予め設定され、設定されたデータ受信間隔を表すデータは、コントローラ２００に予め保存されている。
【００５９】
このとき、コントローラ２００は、データ受信間隔時間が経過した判別すると（ステップＳ３２；Ｙｅｓ）、設備機器１１０に設置された電力測定装置１１２及び設備機器１２０に設置された電力測定装置へ電力値送信リクエストを送信する（ステップＳ３３）。
【００６０】
次に、コントローラ２００は、設備機器１１０の電力測定装置１１２から、電力測定装置１１２の通信アドレスと測定電力値ＡＷとを表すデータを受信し、かつ設備機器１２０の電力測定装置から、当該電力測定装置の通信アドレスと測定電力値ＡＷとを表すデータを受信する（ステップＳ３４）。
【００６１】
次に、コントローラ２００は、再度システム日時を参照する（ステップＳ３５）。その後、コントローラ２００は、システム日時を電力が測定された日時（以下、測定日時という）とし、通信アドレスを表すデータと、測定日時を表すデータと、測定電力値ＡＷを表すデータと、未だ測定電力値ＡＷを表すデータを監視サーバ３００へ送信していないことを表すフラグ（以下、未送信フラグという）と、を対応付けたデータをデータベースへ保存した後に、ステップＳ３１から上記処理を繰り返す。
【００６２】
ステップＳ３２において、コントローラ２００は、データ受信間隔時間が経過していないと判別すると（ステップＳ３２；Ｎｏ）、ステップＳ３１で参照したシステム日時に基づいて、前回に監視サーバ３００へ測定電力値ＡＷを表すデータを送信してから（但し、消費電力監視処理を開始してから一度も測定電力値ＡＷを表すデータを送信していない場合には当該消費電力監視処理の実行を開始してから）、予め定められた間隔（以下、データ送信間隔という）だけ時間が経過したか否かを判別する（ステップＳ３７）。尚、データ送信間隔は、例えば、上記サービススタッフによって予め設定され、設定されたデータ送信間隔を表すデータは、コントローラ２００に予め保存されている。
【００６３】
ステップＳ３７において、コントローラ２００は、データ送信間隔時間が経過したと判別すると（ステップＳ３７；Ｙｅｓ）、未送信フラグを表すデータに対応付けられた通信アドレスを表すデータと、測定日時を表すデータと、測定電力値ＡＷを表すデータと、を対応付けた１又は複数のデータをデータベースから検索する（ステップＳ３８）。その後、コントローラ２００は、検索された１又は複数のデータを監視サーバ３００へ送信する（ステップＳ３９）。
【００６４】
また、コントローラ２００は、送信した通信アドレスを表すデータと、測定日時を表すデータと、測定電力値ＡＷを表すデータと、に対応付けられたフラグを、測定電力値ＡＷを表すデータを監視サーバ３００へ既に送信したことを表すフラグ（以下、送信済フラグという）に更新した後に、ステップＳ３１に戻り上記処理を繰り返す。
【００６５】
尚、監視サーバ３００は、通信アドレスを表すデータと、測定日時を表すデータと、測定電力値ＡＷを表すデータと、を対応付けた複数のデータに基づいて（つまり、過去の消費電力の推移に基づいて）、各設備機器について将来の消費電力の推移を予測する。また、監視サーバ３００は、将来の消費電力の推移に基づいて、例えば、１日の総電力消費が所定の閾値よりも少なくなるような設備機器の運転スケジュールを作成し、作成したスケジュールに沿って動作するように各設備機器へ制御信号を送信する。すなわち、監視サーバ３００は、省エネを実現し、設備機器で消費される電力のピークを低減させる。
【００６６】
ステップＳ３７において、コントローラ２００は、データ送信間隔時間が経過していないと判別すると（ステップＳ３７；Ｎｏ）、設備機器１１０の電力測定装置１１２若しくは設備機器１２０の電力測定装置から、異常通知を表す通信データを受信したか否かを判別する（ステップＳ４０）。このとき、コントローラ２００は、異常通知を表す通信データを受信していないと判別すると（ステップＳ４０；Ｎｏ）、ステップＳ３１に戻り上記処理を繰り返す。
【００６７】
これに対して、コントローラ２００は、異常通知を表す通信データを受信したと判別すると（ステップＳ４０；Ｙｅｓ）、通信データを監視サーバ３００へ送信する。
【００６８】
ここで、コントローラ２００若しくは監視サーバ３００には、設備機器１１０の通信アドレスを表すデータと、設備機器１１０の消費電力を測定する電力測定装置１１２の通信アドレスを表すデータと、が対応付けられて予め保存されている。同様に、コントローラ２００若しくは監視サーバ３００には、設備機器１２０の通信アドレスを表すデータと、設備機器１２０の消費電力を測定する電力測定装置の通信アドレスを表すデータと、が対応付けられて予め保存されている。
【００６９】
このため、コントローラ２００若しくは監視サーバ３００は、異常通知と通信アドレスとを表すデータを受信すると、異常通知を表すデータを送信した電力測定装置の通信アドレスと、当該電力測定装置が異常と判定した設備機器の通信アドレスと、当該設備機器に異常が生じた旨と、当該設備機器の測定電力値ＡＷと、を表示部に表示する（ステップＳ４１）。
【００７０】
コントローラ２００若しくは監視サーバ３００の表示を視認したサービススタッフは、異常若しくは故障が生じた可能性のある設備機器を特定し、例えば、運転を停止させる制御信号、又は運転モードが暖房の場合は設定温度を下げた運転、運転モードが冷房の場合は設定温度を上げた運転、若しくは風量を低下させた運転といった異常通知に応じた運転をさせる制御信号を、特定した設備機器へ送信するようにコントローラ２００若しくは監視サーバ３００を操作する。
【００７１】
その後、コントローラ２００は、当該操作に従って当該制御信号を設備機器へ送信した後に、ステップＳ３１に戻り上記処理を繰り返す。
【００７２】
これらの構成によれば、電力測定装置１１２は、設備機器１１０若しくは１２０の監視に用いられるデータが伝送される監視用伝送線２０に、当該設備機器１１０若しくは１２０が消費する電力を表すデータを伝送する。このため、既存の設備機器１１０若しくは１２０に電力測定装置１１２を設置しても、当該電力測定装置１１２から設備機器１１０若しくは１２０を制御するコントローラ２００まで伝送線を新たに敷設する必要がなく、従来よりも小さい設置コストで電力測定装置１１２を設備機器１１０若しくは１２０に設置できる。
【００７３】
本実施形態では、Ａ／Ｄ変換器１１２４は、算出部１１２６からトリガ信号を入力されると、分圧Ｒ−Ｓ相間電圧の瞬時値及び分圧Ｓ−Ｔ相間電圧の瞬時値と、Ｒ相電流に応じた電圧の瞬時値及びＴ相電流に応じた電圧の瞬時値と、を同一のタイミングでそれぞれサンプリングするとして説明した。しかし、これに限定される訳ではなく、Ａ／Ｄ変換器１１２４は、変流器ＣＴｒ及び変流器ＣＴｔによる電流側の位相進みを補正するために、電流側のサンプリングタイミング（つまり、Ｒ相電流に応じた電圧の瞬時値及びＴ相電流に応じた電圧の瞬時値のサンプリングタイミング）を、電圧側のサンプリングタイミング（つまり、分圧Ｒ−Ｓ相間電圧の瞬時値及び分圧Ｓ−Ｔ相間電圧の瞬時値のサンプリングタイミング）時間よりも、変流器ＣＴｒ及び変流器ＣＴｔの特性により定まる位相進み分だけ早いタイミングで行っても良い。尚、電流側の位相進みは、当業者が実験などにより定めることができる。この構成によれば、設備機器１１０で消費される電力をより精度良く測定できる。
【００７４】
本実施形態では、電力測定装置１１２は、設備機器１１０の制御盤１１１と接続するライン１１から設備機器１１０に印加される電圧及び電流を測定するとして説明したが、これに限定される訳ではない。例えば、電力測定装置１１２は、主に金属で構成される分電盤をさらに備え、電力測定装置１１２は、当該分電盤と接続するラインから設備機器１１０に印加される電圧及び電流を測定するとしても良い。
【００７５】
本実施形態では、設備機器１１０及び１２０は、空調機で構成されるとして説明したが、これに限定される訳ではなく、設備機器は、例えば、照明、換気扇、エアーコンディショナー、ＩＨ（Induction Heating）クッキングヒーター、炊飯器、電子レンジ、ドライヤー、掃除機、洗濯機、若しくはテレビで構成されても良い。
【００７６】
本実施形態では、コントローラ２００は、管理サーバ３００に接続可能なモデム装置であるとして説明したが、これに限定される訳ではなく、管理サーバ３００に接続可能なサーバであっても良い。
【００７７】
また、本実施形態では、コントローラ２００は、電力測定装置１１２などから受信したデータで表される測定電力ＡＷを表示する表示部を備えるとして説明したが、表示部を有した端末に接続し、測定電力ＡＷを表示するように当該端末を制御しても良い。
【００７８】
＜実施形態１の変形例＞
実施形態１において、電力測定装置１１２は、図５のステップＳ１０において、設備機器１１０に異常が生じたと判別すると（ステップＳ１０；Ｙｅｓ）、異常通知を表す信号をコントローラ２００へ送信する（ステップＳ１１）として説明したが、これに限定される訳ではない。電力測定装置１１２は、サービススタッフによりアドレス設定スイッチを操作され、設備機器１１０の通信アドレスを指定され、設備機器１１０に異常が生じたと判別すると（ステップＳ１０；Ｙｅｓ）、当該指定された通信アドレスへ異常通知を表す信号を送信する構成を採用できる。この構成において、設備機器１１０は、異常通知を表す信号を受信すると、例えば、運転の停止、又は運転モードが暖房の場合は設定温度を下げた運転、運転モードが冷房の場合は設定温度を上げた運転、若しくは風量を低下させた運転といった異常通知に応じた運転をする構成を採用できる。
【００７９】
これらの構成によれば、電力測定装置１１２は、設備機器１１０に異常が生じたと判別されると、当該設備機器１１０へ異常通知を送信する。このため、例えば、設備機器１１０の運転を制御するコントローラ２００が異常通知に応じて設備機器１１０の運転を制御できない場合であっても、設備機器１１０が異常通知を受信すると運転を停止若しくは異常通知に応じた運転を行うので、設備機器１１０の故障若しくは事故を迅速かつ確実に防止できる。
【００８０】
＜実施形態２＞
実施形態２に係る電力測定装置１１２は、設備機器１１０に電源が投入されてから所定時間内において監視用伝送線２０に伝送されるデータから設備機器１１０に指定される通信アドレスを特定する。実施形態２に係る電力測定装置１１２は、実施形態１に係る電力測定装置１１２と同様の構成を有するため、実施形態１に係る電力測定装置１１２との相違点について主に説明する。
【００８１】
実施形態２に係る監視サーバ３００は、ＤＮＳ（Dynamic Host Configuration Protocol）サーバとしてさらに機能し、設備機器１１０に電源が投入されると、設備機器１１０から送信されるリクエストに応じて、例えば、ＩＰ（Internet Protocol）アドレスなどの通信アドレスを設備機器１１０に指定する。
【００８２】
実施形態２に係る電力測定装置１１２は、設備機器１１０で消費される電力に基づいて設備機器１１０に電源が投入されたと判定すると、監視サーバ３００から設備機器１１０へ送信されるデータであって、設備機器１１０に通信アドレスを指定するデータ（以下、通信アドレス指定データという）を検出する。
【００８３】
上記機能を発揮するため、図４に示した電力測定装置１１２の算出部１１２９は、図９に示す電力測定処理を実行する。これにより、算出部１１２９のＣＰＵ１１２９ａは、図９に示すような取得部２９１、サンプリング部２９２、消費電力算出部２９３、異常判定部２９４、及び信号出力部２９５の他に、電源投入判定部２９６及び通信アドレス検出部２９７として機能する。
【００８４】
図９の電力測定処理を開始すると、取得部２９１は、入力回路１１２９ｅからアドレス設定信号を取得する（ステップＳ５１）。次に、取得部２９１は、アドレス設定信号で表されるアドレスから所定バイトのデータを情報記憶部２９９から取得する。次に、取得部２９１は、取得したデータから電力測定装置１１２の通信アドレスを表すデータと、閾値Ｔｈを表すデータと、を取得する（ステップＳ５２）。その後、設備機器１１０に指定された通信アドレスを検出する、図１０に示すような通信アドレス検出処理が実行される（ステップＳ５３）。
【００８５】
図９に示した通信アドレス検出処理が開始されると、図７に示したステップＳ２１からステップＳ２３と同様の処理が実行される（ステップＳ７１からステップＳ７３）。
【００８６】
次に、電源投入判定部２９６は、前回に算出された設備機器１１０の瞬間消費電力値（以下、前回消費電力値という）Ｗｂを格納する変数に、今回に算出された設備機器１１０の瞬間消費電力値（以下、今回消費電力値という）Ｗｎを格納する（ステップＳ７４）。
【００８７】
その後、ステップＳ７１からステップＳ７３と同様の処理が再度実行される（ステップＳ７５からステップＳ７７）。次に、電源投入判定部２９６は、今回消費電力値Ｗｎから前回消費電力値Ｗｂを減算することで、消費電力値の変化量ΔＷを算出する（ステップＳ７８）。その後、電源投入判定部２９６は、ステップＳ７４と同様の処理を実行する（ステップＳ７９）。
【００８８】
次に、取得部２９１は、設備機器１１０に対する電源の投入前後における消費電力の変化量の下限を表す閾値Ｔｏｎを表すデータを、情報記憶部２９９から取得し、電源投入判定部２９６は、ステップＳ７８で算出された変化量ΔＷが閾値Ｔｏｎよりも大きいか否か判別する。また、電源投入判定部２９６は、変化量ΔＷが閾値Ｔｏｎよりも大きいか否かの判別結果に基づいて設備機器１１０に電源が投入されたか否かを判定する（ステップＳ８０）。
【００８９】
電源投入判定部２９６が、変化量ΔＷが閾値Ｔｏｎよりも大きいために、設備機器１１０に電源が投入されたと判定すると（ステップＳ８０；Ｙｅｓ）、通信アドレス検出部２９７は、図３に示した伝送部１１２６が監視サーバ３００から通信アドレス指定データを受信したか否かを判別する（ステップＳ８１）。
【００９０】
このとき、通信アドレス検出部２９７は、通信アドレス指定データが受信されたと判別すると（ステップＳ８１；Ｎｏ）、設備機器１１０に電源が投入されたと判定されてから、監視サーバ３００が通信アドレスを指定するのに要する時間（以下、通信アドレス指定時間という）経過したか否かを、図４に示したタイマ回路のタイマ値に基づいて判別する（ステップＳ８２）。
【００９１】
このとき、通信アドレス検出部２９７は、通信アドレス指定時間経過していないと判別すると（ステップＳ８２；Ｎｏ）、ステップＳ８１から上記処理を繰り返す。
【００９２】
ステップＳ８１において、通信アドレス検出部２９７は、通信アドレス指定データが受信されたと判別すると（ステップＳ８１；Ｙｅｓ）、通信アドレス指定データから設備機器１１０に指定された通信アドレスを表すデータを検出した後に（ステップＳ８３）、通信アドレス検出処理の実行を終了する。
【００９３】
ステップＳ８２において、通信アドレス検出部２９７は、通信アドレス指定時間経過したと判別すると（ステップＳ８２；Ｙｅｓ）、サービススタッフに操作されたコントローラ２００若しくは監視サーバから通信コマンドを伝送部１１２６が受信するまで待ち、受信された通信コマンドから設備機器１１０に指定された通信アドレスを表すデータを検出した後に（ステップＳ８４）、通信アドレス検出処理の実行を終了する。
【００９４】
図９に示したステップＳ５２ｂの実行が終了すると、図５に示したステップＳ０３からステップＳ１０と同様の処理が実行される（ステップＳ５３からステップＳ６０）。
【００９５】
ステップＳ６０において、異常判定部２９４が、設備機器１１０に異常が生じたと判別すると（ステップＳ６０；Ｙｅｓ）、信号出力部２９５は、ステップＳ５２で取得された電力測定装置１１２の通信アドレスと、図１１に示したステップＳ８３若しくはステップＳ８４で検出された設備機器１１０の通信アドレスと、設備機器１１０に異常が発生した旨を通知する異常通知と、を表す通信データを表す信号をコントローラ２００へ送信するように伝送部１１２６を制御する（ステップＳ６１ａ）。
【００９６】
尚、コントローラ２００若しくはコントローラ２００から通信データを受信する監視サーバ３００は、それぞれが有する表示部へ、電力測定装置１１２の通信アドレスと、設備機器１１０の通信アドレスと、設備機器１１０に異常が発生した旨と、を表示する。
【００９７】
ステップＳ６１ａの後に、信号出力部２９５は、ステップＳ８４で検出された設備機器１１０の通信アドレスに基づいて、運転を停止させる制御信号若しくは異常通知に応じた運転をさせる制御信号を設備機器１１０へ送信するように伝送部１１２６を制御する（ステップＳ６１ｂ）。その後、ステップＳ５３から上記処理が繰り返えされる。
【００９８】
ステップＳ５７において、取得部２９１が、電力値送信リクエストを伝送部１１２６が受信したと判別すると（ステップＳ５７；Ｙｅｓ）、信号出力部２９５は、ステップＳ５２で取得された電力測定装置１１２の通信アドレスと、図１１に示したステップＳ８３若しくはステップＳ８４で検出された設備機器１１０の通信アドレスと、ステップＳ５９で算出された測定電力値ＡＷと、を表す通信データを表す信号をコントローラ２００へ送信するように伝送部１１２６を制御する（ステップＳ６２）。その後、ステップＳ５３から上記処理が繰り返えされる。
【００９９】
これらの構成によれば、設備機器１１０を識別する通信アドレスを監視用伝送線２０に伝送されるデータから検出するため、設備機器１１０に電力測定装置１１２を設置するサービススタッフが設備機器１１０の通信アドレスを知らなくとも、設備機器１１０に電力測定装置１１２を設置するだけで、設備機器１１０を識別する通信アドレスと、設備機器１１０の消費電力と、を監視用伝送線２０に伝送できる。
【０１００】
＜実施形態３＞
実施形態３に係る電力測定装置１１２の本体部１１２ｂは、図１２に示すように、ライン１１に接続される第１本体部１２ｂ１、伝送線２１に接続される第２本体部１２ｂ２、及び第１本体部１２ｂ１と第２本体部１２ｂ２とを通信可能に接続する伝送線１２ｂ３で構成される。実施形態３に係る電力測定装置１１２は、実施形態１に係る電力測定装置１１２と同様の構成を有するため、以下、主に相違点について説明する。
【０１０１】
第１本体部１２ｂ１は、図１３に示すように、電源回路１１２１、測定回路１１２２、Ａ／Ｄ変換器１１２４、アドレス設定スイッチ１１２８、及び算出部１１２９の他にデータ通信部１１２７ａで構成される。
【０１０２】
電源回路１１２１は、Ａ／Ｄ変換器１１２４及び算出部１１２９の他にデータ通信部１１２７ａへ電源を供給する。算出部１１２９は、図１４に示す伝送部１１２６との間で、データ通信部１１２７ａを介してデータの入出力を行う。データ通信部１１２７ａは、図１４に示す第２本体部１２ｂ２に搭載されたデータ通信部１１２７ｂとの間で有線通信を行う。
【０１０３】
第２本体部１２ｂ２は、図１４に示すように、給電回路１１２５及び伝送部１１２６の他にデータ通信部１１２７ｂで構成される。
【０１０４】
給電回路１１２５は、伝送部１１２６の他にデータ通信部１１２７ｂへ電源を供給する。伝送部１１２６は、伝送線１１２ｔから受信するデータを、データ通信部１１２７ｂを介して、図１３に示した算出部１１２９へ出力する。逆に、伝送部１１２６は、算出部１１２９から出力されたデータを、データ通信部１１２７ｂを介して入力し、入力したデータを表す信号を伝送線１１２ｔへ伝送する。
【０１０５】
これらの構成によれば、電力測定装置１１２は、電源ライン１０に接続され、当該ライン１０により設備機器１１０へ印加される電圧と電流とに基づいて当該設備機器１１０の消費電力を算出する第１本体部１２ｂ１と、監視用伝送線２０に接続され、消費電力を表すデータを当該監視用伝送線２０に伝送する第２本体部１２ｂ２と、で構成される。このため、第１本体部１２ｂ１と第２本体部１２ｂ２とが通信できさえすれば、電源ライン１０と監視用伝送線２０とが離れても、設備機器１１０の消費電力を測定し、測定された電力を表すデータを監視用伝送線２０に伝送できる。すなわち、設備機器１１０において電力測定装置１１２を設置する位置の自由度が向上する。
【０１０６】
本実施形態において、第１本体部１２ｂ１のデータ通信部１１２７ａと第２本体部１２ｂ２のデータ通信部１１２７ｂとは、伝送線１２ｂ３を介してデータを通信するとして説明したが、これに限定される訳でない。例えば、第１本体部１２ｂ１と、第２本体部１２ｂ２とが、金属製の制御盤１１１から十分に離れている場合には、第１本体部１２ｂ１のデータ通信部１１２７ａと第２本体部１２ｂ２のデータ通信部１１２７ｂとは、無線でデータを通信しても良い。
【０１０７】
この構成によれば、第１本体部１２ｂ１は電源ライン１０に接続され、第２本体部１２ｂ２は監視用伝送線２０に接続されていれば、設備機器１１０の金属製の分電盤や制御盤１１１に設置される必要がないので、第１本体部１２ｂ１と第２本体部１２ｂ２とは、無線によりデータを通信できる。このため、第１本体部１２ｂ１と第２本体部１２ｂ２とが有線通信する場合と比べて、設備機器１１０における電力測定装置１２０の設置位置の自由度が向上する。
【０１０８】
尚、本発明の実施形態１、実施形態１の変形例、実施形態２、若しくは実施形態３に係る機能を実現するための構成を予め備えた電力測定装置１１２として提供できることはもとより、プログラムの適用により、既存の電力測定装置を実施形態１、実施形態１の変形例、実施形態２、若しくは実施形態３に係る電力測定装置１１２として機能させることもできる。すなわち、上記実施形態１、実施形態１の変形例、実施形態２、若しくは実施形態３で例示した電力測定装置１１２による各機能構成を実現させるためのプログラムを、既存の電力測定装置を制御するコンピューター（ＣＰＵなど）が実行できるように適用することで、実施形態１、実施形態１の変形例、実施形態２、若しくは実施形態３に係る電力測定装置１１２として機能させることができる。
【０１０９】
このようなプログラムの配布方法は任意であり、例えば、メモリカード、ＣＤ−ＲＯＭ、又はＤＶＤ−ＲＯＭなどの記録媒体に格納して配布できる他、インターネットなどの通信媒体を介して配布することもできる。尚、本発明の電力測定方法は、電力測定システム１を用いて実施できる。
【０１１０】
また、本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【０１１１】
Ｐｒ，Ｐｓ，Ｐｔ  ポイント
Ｐｔ              伝送線接続部
ＣＴｒ，ＣＴｔ    変流器
１０              三相交流電源
１１，１２        電源ライン
１１ｒ            電源ライン１１のＲ相
１１ｓ            電源ライン１１のＳ相
１１ｔ            電源ライン１１のＴ相
２０              監視制御用伝送線
２１，２２        伝送線
３０              通信網
１１０，１２０    設備機器
１１１            制御盤
１１２            電力測定装置
１１２ｂ          本体部
１１２ｉｒ，１１２ｉｔ，１１２ｖｒ，１１２ｖｓ，１１２ｖｔ        ライン
１１２ｓ          ライン接続部
１１２ｔ          伝送線
２００            コントローラ
３００            監視サーバ
１１２１          電源回路
１１２２          測定回路
１１２２ａ        電圧測定回路
１１２２ｂ        電流測定回路
１１２４          Ａ／Ｄ変換器
１１２５          給電回路
１１２６          伝送部
１１２７          絶縁回路
１１２７ａ，１１２７ｂ      データ通信部
１１２８          アドレス設定スイッチ
１１２９          算出部
１１２９ａ        ＣＰＵ
１１２９ｂ        ＲＯＭ
１１２９ｃ        ＲＡＭ
１１２９ｅ        入力回路
１１２９ｆ        出力回路
１１２９ｇ        タイマ回路
１１２９ｚ        バス
２９１            取得部
２９２            サンプリング部
２９３            消費電力算出部
２９４            異常判定部
２９５            信号出力部
２９６            電源投入判定部
２９７            通信アドレス検出部
２９９            情報記憶部
【図１】
0005892768.tif 000002
【図２】
0005892768.tif 000003
【図３】
0005892768.tif 000004
【図４】
0005892768.tif 000005
【図５】
0005892768.tif 000006
【図６】
0005892768.tif 000007
【図７】
0005892768.tif 000008
【図８】
0005892768.tif 000009
【図９】
0005892768.tif 000010
【図１０】
0005892768.tif 000011
【図１１】
0005892768.tif 000012
【図１２】
0005892768.tif 000013
【図１３】
0005892768.tif 000014
【図１４】
0005892768.tif 000015